(57)【要約】  【課題】着用者の臀部が汚れにくく、かつ、尿および便の外部への漏れを効果的に防止することができる吸収体物品の提供。  【解決手段】底面部と、前記底面部の左右両側から上側に立ち上がり、縁部が内側になるように曲がっている一対の側部とを有し、前記底面部と前記一対の側部とにより内部空間を形成している、シート状の第１防漏体と、前記内部空間に少なくとも１層配置された、高吸水性樹脂を含有し体液を吸収しうる吸収体と、前記一対の側部の縁部のそれぞれに沿って設けられた一対の縁部形状保持部材と、前記一対の縁部形状保持部材の各中央部の間にわたって設けられた架橋部材とを具備する吸収体物品。【選択図】図１
2006116157.tif 000002
【特許請求の範囲】
【請求項１】
底面部と、前記底面部の左右両側から上側に立ち上がり、縁部が内側になるように曲がっている一対の側部とを有し、前記底面部と前記一対の側部とにより内部空間を形成している、シート状の第１防漏体と、
前記内部空間に少なくとも１層配置された、高吸水性樹脂を含有し体液を吸収しうる吸収体と、
前記一対の側部の縁部のそれぞれに沿って設けられた一対の縁部形状保持部材と、
前記一対の縁部形状保持部材の各中央部の間にわたって設けられた架橋部材と
を具備する吸収体物品。
【請求項２】
前記架橋部材が前記縁部形状保持部材の上面に接している、請求項１に記載の吸収体物品。
【請求項３】
前記架橋部材が前記縁部形状保持部材の下面に接している、請求項１または２に記載の吸収体物品。
【請求項４】
前記架橋部材が前記底面部および前記一対の側部と結合することにより、前記内部空間が、前側の尿吸収用空間と後側の便収容用空間とに分離しており、
前記尿吸収用空間に、前記吸収体が配置されている、請求項１〜３のいずれかに記載の吸収体物品。
【請求項５】
前記吸収体が、前記内部空間の前側から後側までにわたって伸びており、
前記架橋部材が前記吸収体および前記一対の側部と結合することにより、前記内部空間が、前側の尿吸収用空間と後側の便収容用空間とに分離している、請求項１〜３のいずれかに記載の吸収体物品。
【請求項６】
前記便収容用空間に、シート状の第２防漏体を具備する、請求項４または５に記載の吸収体物品。
【請求項７】
前記便収容用空間において、前記第１防漏体と前記第２防漏体との間に、前記吸収体が配置されている、請求項６に記載の吸収体物品。
【請求項８】
前記第２防漏体の前端部が、前記架橋部材の下面と結合し、前記第２防漏体の前端部の下面に、尿導入部形成部材が設けられており、前記吸収体が、前記尿吸収用空間から前記便収容空間の前記第２防漏体の下側にわたって存在している、請求項７に記載の吸収体物品。
【請求項９】
前記一対の側部が、それぞれ２段以上に折りたたまれたひだ状に形成されている、請求項１〜８のいずれかに記載の吸収体物品。
【請求項１０】
ひだ状に形成されている前記一対の側部により規定される２段以上の空間のうち、少なくとも二つに、前記吸収体が配置されている、請求項９に記載の吸収体物品。
【請求項１１】
更に、前記第１防漏体の前記底面部と前記一対の側部の前端から上部の前側にかけての部分とに結合して、前記第１防漏体の前側の開口を閉鎖する前方防漏体、および／または、前記第１防漏体の前記底面部と前記一対の側部の後端から上部の後側にかけての部分とに結合して、前記第１防漏体の後側の開口を閉鎖する後方防漏体を具備する、請求項１〜１０のいずれかに記載の吸収体物品。
【請求項１２】
前記吸収体が、左右に離間して配置されている、請求項１〜１１のいずれかに記載の吸収体物品。
【請求項１３】
左右に離間して配置されている前記吸収体の間にわたって、液ガイドシートが配置されている、請求項１２に記載の吸収体物品。
【請求項１４】
前記吸収体が、不織布上に前記高吸水性樹脂をコーティングしてなるシート状吸収体である、請求項１〜１３のいずれかに記載の吸収体物品。
【請求項１５】
前記吸収体が、左右に離間して配置されており、かつ、前記シート状吸収体が、前記不織布の前記高吸水性樹脂をコーティングされた側を内側として、チューブ状に形成されてなる、請求項１４に記載の吸収体物品。
【請求項１６】
前記シート状吸収体が、前記高吸水性樹脂を５０質量％以上含有し、厚さが１ｍｍ以下である高吸水性シートである、請求項１４または１５に記載の吸収体物品。
【発明の詳細な説明】
【技術分野】
【０００１】
本発明は、新規吸収体物品に関する。
【背景技術】
【０００２】
紙おむつ等の吸収体物品は、木材パルプ、高吸水性樹脂（Ｓｕｐｅｒ  Ａｂｓｏｒｂｅｎｔ  Ｐｏｌｙｍｅｒ、以下「ＳＡＰ」ともいう。）等の吸収成分を用いた吸収体により着用者から排出された尿を吸収し、また、便（大便）を受容する物品である。
従来の吸収体物品は、尿を吸収し便を受容する部分の左右両側に、インナーギャザーまたはアウターギャザーと呼ばれる、ゴムを挿通して伸縮可能としたひだ状の部材が設けられており、これにより尿や便の外部への漏れを防止するような構造となっている。
【発明の開示】
【発明が解決しようとする課題】
【０００３】
しかしながら、このような吸収体物品においては、着用時に中央部が拡張し、左右のインナーギャザーまたはアウターギャザーの間隔が、子供用で７０〜８０ｍｍ程度、大人用で１００〜１５０ｍｍ程度となり、着用者の下半身全体を包み込む状態となるため、尿が排出されると、下半身全体が濡れることとなり、また、便が排出されると、着用者の臀部から下半身全体にかけて汚れやすいという問題があった。
また、従来のインナーギャザーまたはアウターギャザーは、伸縮性があり前後左右に伸びうるため、着用者の体位や動作によっては、排出時または排出後に、吸収体物品と着用者の身体との間に隙間が生じ、その隙間から尿や便が外部に漏れる場合があるという問題もあった。
【０００４】
したがって、本発明は、尿による下半身の体表面の濡れが少なく、便排出による臀部の汚れが生じにくく、かつ、尿および便の外部への漏れを効果的に防止することができる吸収体物品を提供することを目的とする。
【課題を解決するための手段】
【０００５】
本発明者は、上記目的を達成すべく鋭意研究した結果、新規構造を有する吸収体物品を完成させた。
【０００６】
即ち、本発明は、以下の（１）〜（１６）を提供する。
【０００７】
（１）底面部と、前記底面部の左右両側から上側に立ち上がり、縁部が内側になるように曲がっている一対の側部とを有し、前記底面部と前記一対の側部とにより内部空間を形成している、シート状の第１防漏体と、
前記内部空間に少なくとも１層配置された、高吸水性樹脂を含有し体液を吸収しうる吸収体と、
前記一対の側部の縁部のそれぞれに沿って設けられた一対の縁部形状保持部材と、
前記一対の縁部形状保持部材の各中央部の間にわたって設けられた架橋部材と
を具備する吸収体物品。
【０００８】
（２）前記架橋部材が前記縁部形状保持部材の上面に接している、上記（１）に記載の吸収体物品。
【０００９】
（３）前記架橋部材が前記縁部形状保持部材の下面に接している、上記（１）または（２）に記載の吸収体物品。
【００１０】
（４）前記架橋部材が前記底面部および前記一対の側部と結合することにより、前記内部空間が、前側の尿吸収用空間と後側の便収容用空間とに分離しており、
前記尿吸収用空間に、前記吸収体が配置されている、上記（１）〜（３）のいずれかに記載の吸収体物品。
【００１１】
（５）前記吸収体が、前記内部空間の前側から後側までにわたって伸びており、
前記架橋部材が前記吸収体および前記一対の側部と結合することにより、前記内部空間が、前側の尿吸収用空間と後側の便収容用空間とに分離している、上記（１）〜（３）のいずれかに記載の吸収体物品。
【００１２】
（６）前記便収容用空間に、シート状の第２防漏体を具備する、上記（４）または（５）に記載の吸収体物品。
【００１３】
（７）前記便収容用空間において、前記第１防漏体と前記第２防漏体との間に、前記吸収体が配置されている、上記（６）に記載の吸収体物品。
【００１４】
（８）前記第２防漏体の前端部が、前記架橋部材の下面と結合し、前記第２防漏体の前端部の下面に、尿導入部形成部材が設けられており、前記吸収体が、前記尿吸収用空間から前記便収容空間の前記第２防漏体の下側にわたって存在している、上記（７）に記載の吸収体物品。
【００１５】
（９）前記一対の側部が、それぞれ２段以上に折りたたまれたひだ状に形成されている、上記（１）〜（８）のいずれかに記載の吸収体物品。
【００１６】
（１０）ひだ状に形成されている前記一対の側部により規定される２段以上の空間のうち、少なくとも二つに、前記吸収体が配置されている、上記（９）に記載の吸収体物品。
【００１７】
（１１）更に、前記第１防漏体の前記底面部と前記一対の側部の前端から上部の前側にかけての部分とに結合して、前記第１防漏体の前側の開口を閉鎖する前方防漏体、および／または、前記第１防漏体の前記底面部と前記一対の側部の後端から上部の後側にかけての部分とに結合して、前記第１防漏体の後側の開口を閉鎖する後方防漏体を具備する、上記（１）〜（１０）のいずれかに記載の吸収体物品。
【００１８】
（１２）前記吸収体が、左右に離間して配置されている、上記（１）〜（１１）のいずれかに記載の吸収体物品。
【００１９】
（１３）左右に離間して配置されている前記吸収体の間にわたって、液ガイドシートが配置されている、上記（１２）に記載の吸収体物品。
【００２０】
（１４）前記吸収体が、不織布上に前記高吸水性樹脂をコーティングしてなるシート状吸収体である、上記（１）〜（１３）のいずれかに記載の吸収体物品。
【００２１】
（１５）前記吸収体が、左右に離間して配置されており、かつ、前記シート状吸収体が、前記不織布の前記高吸水性樹脂をコーティングされた側を内側として、チューブ状に形成されてなる、上記（１４）に記載の吸収体物品。
【００２２】
（１６）前記シート状吸収体が、前記高吸水性樹脂を５０質量％以上含有し、厚さが１ｍｍ以下である高吸水性シートである、上記（１４）または（１５）に記載の吸収体物品。
【発明の効果】
【００２３】
本発明の吸収体物品は、尿による下半身の体表面の濡れが少なく、便による臀部の汚れが生じにくく、かつ、尿および便の外部への漏れを効果的に防止することができる。
【発明を実施するための最良の形態】
【００２４】
以下、本発明の吸収体物品を添付図面に示す好適実施形態に基づいて詳細に説明する。なお、本明細書においては、本発明の吸収体物品を実際に着用した場合に、着用者の肌に近い側を「上」といい、遠い側を「下」という。また、本発明の吸収体物品を実際に着用した場合に、着用者の体の前側に対応する側を「前」といい、後側に対応する側を「後」という。また、各図中、理解を容易にするために、実際には接触している部材を離間させて示すことがある。
【００２５】
図１は、本発明の吸収体物品の例を示す模式図である。図１（Ａ）は平面図であり、図１（Ｂ）は図１（Ａ）中のＩＢ−ＩＢ線に沿った横端面図であり、図１（Ｃ）は図１（Ａ）中のＩＣ−ＩＣ線に沿った横端面図である。
なお、添付した図面中の各平面図においては、図の上側に吸収体物品等の前側が位置するように図示してある。
【００２６】
本発明の吸収体物品１００は、基本的に、底面部１２と、底面部１２の左右両側から上側に立ち上がり、縁部が内側になるように曲がっている一対の側部１４とを有し、底面部１２と一対の側部１４とにより内部空間Ｓを形成している、シート状の第１防漏体１０と、内部空間Ｓに少なくとも１層配置された、高吸水性樹脂を含有し体液を吸収しうる吸収体２０と、一対の側部１４の縁部のそれぞれに沿って設けられた一対の縁部形状保持部材３０と、一対の縁部形状保持部材３０の各中央部の間にわたって設けられた架橋部材４０とを具備する。
【００２７】
第１防漏体１０の材質は、一般に、バックシートとして用いられているものを用いることができる。具体的には、例えば、ＰＥ、ＰＰ、ＰＥＴ、ＥＶＡ等の樹脂のフィルム；前記樹脂の発泡シート等の体液不透過性シートを用いることができる。体液不透過性シートは、通気性フィルム等の通気性を有するものも好適に用いられる。
また、前記樹脂のフィルムを用いる場合には、感触や外観を向上させるために、フィルムと不織布との複層シートとして用いることもできる。この場合、不織布としては、比較的低目付のＳＢ、ＳＭＳ、サーマルボンド不織布等が好適に用いられる。
また、前記樹脂のフィルムと後述するシート状吸収体との複層シートを用いることもできる。
また、高耐水性不織布を用いることもできる。この場合、単独で用いてもよく、フィルムと高耐水性不織布との複層シートとして用いることもできる。
【００２８】
第１防漏体１０は、複数の部材から構成されていてもよい。
【００２９】
第１防漏体１０は、上述したように、底面部１２と、一対の側部１４とを有する。一対の側部１４は、図１においては底面部１２から鋭角に折れ曲がっているが、底面部１２の左右両側から上側に立ち上がり縁部が内側になるように曲がっていれば、特に限定されない。
底面部１２と一対の側部１４とにより、内部空間Ｓが形成されている。内部空間Ｓには、吸収体２０が配置されている。
【００３０】
本発明に用いられる吸収体２０は、高吸水性樹脂を含有し体液を吸収しうるものであれば特に限定されず、例えば、粉末状の木材パルプ、無加工のＳＡＰ等の粉体状吸収体を用いることもできるが、形態安定性、脱落の可能性等を考慮すると、シート状吸収体が好ましい。中でも、不織布上に前記高吸水性樹脂をコーティングしてなるシート状吸収体が好ましい。
吸収体の種類は、用途に応じて適宜選択することができる。例えば、本発明の吸収体物品を子供用おむつとする場合、新生児用や月齢の低い乳児用（大きさで言えば、Ｓサイズ）としては、木材パルプの含有量が多いものが好ましく、また、月齢の高い乳児用（大きさで言えば、ＭサイズやＬサイズ）としては、ＳＡＰの含有量が多いものが好ましい。
【００３１】
シート状吸収体の中でも、ＳＡＰを５０質量％以上、好ましくは６０〜９５質量％含有する高吸水性シートであるのが好ましい態様の一つである。
高吸水性シートは、ＳＡＰを主成分とする極薄のシート状吸収体である。高吸水性シートは、ＳＡＰの含有量が極めて高いため、厚さが極めて薄い。高吸水性シートの厚さは、１．５ｍｍ以下であるのが好ましく、１ｍｍ以下であるのがより好ましい。
高吸水性シートは、ＳＡＰを主成分とする極薄のシート状吸収体であれば、構成や製造方法を特に限定されない。
例えば、Ａｉｒ  Ｌａｉｄ法で得られる高吸水性シートが挙げられる。Ａｉｒ  Ｌａｉｄ法は、粉砕した木材パルプとＳＡＰとを混合し、結合剤を添加してシート状に成形して高吸水性シートを得る方法である。この方法で得られる高吸水性シートとしては、例えば、米国レオニヤ（Ｒａｙｏｎｉｅｒ）社製のＮＯＶＡＴＨＩＮ（米国登録商標）、王子キノクロス社製のＢ−ＳＡＰが知られている。
また、ＳＡＰの分散スラリーを不織布等の体液透過性シートの上にコーティングする方法で得られる高吸水性シートも挙げられる。ここで、ＳＡＰの分散スラリーは、ＳＡＰとミクロフィブリル化セルロース（ＭＦＣ）とを、水とエタノールとの混合溶媒に分散させたものであるのが好ましい。この方法で得られる高吸水性シートとしては、例えば、（株）日本吸収体技術研究所製のＭｅｇａＴｈｉｎ（登録商標）が知られている。
そのほかに、例えば、起毛状不織布にＳＡＰを大量に担持させ、ホットメルトバインダー、エマルションバインダー、水性繊維等で固定する方法で得られる高吸水性シート、繊維状ＳＡＰをＰＥＴ（ポリエチレンテレフタレート）繊維と混合してウェブ状に成形する方法で得られる高吸水性シート、ＳＡＰ層の上下をティッシュで挟んだＳＡＰシートが挙げられる。
【００３２】
吸収体は、少なくとも１層配置される。即ち、吸収体は、１層であってもよく、２層以上（複数層）であってもよい。
また、吸収体は、折りたたんだ状態で配置することもできる。
【００３３】
一対の側部１４の縁部には、それぞれ、縁部に沿って一対の縁部形状保持部材３０が設けられている。縁部形状保持部材３０は、図１においては、縁部の全長に沿って設けられているが、本発明においてはこれに特に限定されず、縁部の前後の端部付近には縁部形状保持部材が設けられていなくてもよい。
【００３４】
縁部形状保持部材３０は、側部の縁部の形状を保持させ、縁部を着用者の身体に密着させる機能を有する。これにより、尿や便が第１防漏体１０の外側に漏れることが効果的に防止される。また、着用時に、側部において、不均一で大きな凹凸が生じることを防止することができる。
縁部形状保持部材３０の材料としては、クッション性（弾性）と、ある程度の厚さがあるのが好ましい。例えば、発泡体（例えば、ＰＵ、ＰＰ、ＰＰ／ＥＶＡ製）、合成ゴムシート、伸縮性弾性フィルム、ゴムフィラメント、ポリウレタンフィラメントが好適に挙げられる。また、糸ゴムでギャザーを形成し、それを折り返すことにより、クッション性とある程度の厚さを実現することもできる。
【００３５】
更に、一対の縁部形状保持部材３０の各中央部の間にわたって、架橋部材４０が設けられている。
架橋部材４０は、一対の縁部形状保持部材３０の間を連結することによって、その距離を一定に保持する機能を有する。これにより、従来のインナーギャザーまたはアウターギャザーのように左右に伸びる余地が少なくなり、第１防漏体１０の底面部１２と着用者の体表面とが比較的狭い範囲しか接触しえないようになるため、尿排出による下半身、特に、その前部の濡れが少なくなり、また、便排出による臀部の汚れが生じにくくなる。
このような効果を得るためには、一対の縁部形状保持部材３０の間の距離Ｌ1を適切に規定するのが好ましい。例えば、男性用の場合、ペニスと睾丸とが内部空間Ｓに収容されるような距離とするのが好ましい。また、女性用の場合、大陰唇が内部空間Ｓに収容されるような距離とするのが好ましい。いずれにおいても、内部空間Ｓの左右方向に余りが少ないのが好ましい。
【００３６】
架橋部材４０の材料は、ある程度の吸収体物品の左右方向の形態を保持しうるものであれば、特に限定されない。例えば、ＰＥ、ＰＰ、ポリウレタン等の発泡体や、それをスライパー等の繊維束と疎水性不織布とで被覆したものが好適に挙げられる。架橋部材４０は、クッション性を発揮する程度の厚さであるのが好ましい。
【００３７】
架橋部材４０の前後方向の長さＬ2は、男性用においては特に限定されないが、女性用においては着用者の尿道口と肛門との間の距離より短くする必要があるので１０〜７０ｍｍであるのが好ましい。また、子供用においては５〜４０ｍｍであるのが好ましい。
【００３８】
第１防漏体の一対の側部および縁部形状保持部材の存在形態は、特に限定されない。
図２は、種々の形状の吸収体物品を示す模式的な平面図である。図２（Ａ）〜図２（Ｄ）においては、吸収体は省略されている。第１防漏体の一対の側部および縁部形状保持部材の存在形態は、例えば、図２（Ａ）〜図２（Ｄ）に示される各形態とすることができる。
図２（Ａ）に示される吸収体物品１００ａにおいては、側部３０ａの縁部の距離が中央部で短く、前後で長くなるように、第１防漏体１０ａの一対の側部１４ａおよび縁部形状保持部材３０ａが構成されている。
図２（Ｂ）に示される吸収体物品１００ｂにおいては、側部３０ｂの縁部の距離が中央部から前側が一定で短く、後側が長くなるように、第１防漏体１０ｂの一対の側部１４ｂおよび縁部形状保持部材３０ｂが構成されている。
図２（Ｃ）に示される吸収体物品１００ｃにおいては、側部３０ｃの縁部の距離が中央部で長く、前後で短くなるように、第１防漏体１０ｃの一対の側部１４ｃおよび縁部形状保持部材３０ｃが構成されている。
図２（Ｄ）に示される吸収体物品１０１においては、側部３０ｄの縁部の距離が前が長く、後が短くなるように、第１防漏体１１の一対の側部１５および縁部形状保持部材３０ｄが構成されている。
【００３９】
図１６は、種々の形態の吸収体物品を示す模式的な横端面図である。図１６（Ａ）〜図１６（Ｃ）においては、吸収体は省略されている。第１防漏体の縁部形状保持部材の形態は、例えば、図１６（Ａ）〜図１６（Ｃ）に示される各形状とすることができる。
図１６（Ａ）に示される吸収体物品１０１ａにおいては、第１防漏体１１ａの一対の側部１５ａが、糸ゴムで形成されたギャザーからなる縁部形状保持部材３１ａと一体となっている。一対の縁部形状保持部材３１ａの間には、架橋部材４１ａが設けられている。
図１６（Ｂ）に示される吸収体物品１０１ｂにおいては、第１防漏体１１ｂの一対の側部１５ｂが、２段に折りたたまれたひだ状に形成されており、その最上部が糸ゴムで形成されたギャザーからなる縁部形状保持部材３１ｂと一体となっている。一対の縁部形状保持部材３１ｂの間には、架橋部材４１ｂが設けられている。
図１６（Ｃ）に示される吸収体物品１０１ｃにおいては、第１防漏体１１ｃの一対の側部１５ｃが、その最上部で外側に折り返されており、折り返された部分が糸ゴムで形成されたギャザーからなる縁部形状保持部材３１ｃと一体となっている。一対の縁部形状保持部材３１ｃの間には、架橋部材４１ｃが設けられている。
【００４０】
架橋部材の位置および形状は、特に限定されない。
図３は、種々の形状の架橋部材を有する吸収体物品を示す模式図である。図３（Ａ）は平面図であり、図３（Ｂ）は図３（Ａ）中のＩＩＩＢ−ＩＩＩＢ線に沿った横端面図であり、図３（Ｃ）は平面図であり、図３（Ｄ）は図３（Ｃ）中のＩＩＩＤ−ＩＩＩＤ線に沿った横端面図であり、図３（Ｅ）は平面図であり、図３（Ｆ）は図３（Ｅ）中のＩＩＩＦ−ＩＩＩＦ線に沿った横端面図である。図３（Ａ）〜図３（Ｆ）においては、吸収体は省略されている。架橋部材の位置および形状は、例えば、図３（Ａ）〜図３（Ｆ）に示される各形状とすることができる。
【００４１】
図３（Ａ）および図３（Ｂ）に示される吸収体物品１００ｄにおいては、一対の縁部形状保持部材３０の各中央部の間にわたって設けられている架橋部材４０ｄが、縁部形状保持部材３０の上面に接した状態で、第１防漏体１０ｄの両側端部まで達している。
図３（Ｃ）および図３（Ｄ）に示される吸収体物品１００ｅにおいては、第１防漏体１０ｅは第１防漏体１０ｄと同じ形状となっている。この吸収体物品１００ｅにおいては、一対の縁部形状保持部材３０の各中央部の間にわたって設けられている架橋部材４０ｅが、縁部形状保持部材３０の下面に接した状態で、第１防漏体１０ｅの両側端部まで達している。
図３（Ｅ）および図３（Ｆ）に示される吸収体物品１００ｆにおいては、第１防漏体１０ｆは第１防漏体１０ｄと同じ形状となっている。この吸収体物品１００ｆにおいては、一対の縁部形状保持部材３０の各中央部の間にわたって設けられている架橋部材４０ｄが、縁部形状保持部材３０の上面および下面に接した状態で、第１防漏体１０ｆの両側端部付近まで達している。
【００４２】
本発明の吸収体物品においては、架橋部材が底面部および一対の側部と結合することにより、内部空間が、前側の尿吸収用空間と後側の便収容用空間とに分離しており、尿吸収用空間に、吸収体が配置されているのが好ましい態様の一つである。
図４は、本発明の別の実施形態の吸収体物品を示す模式図である。図４（Ａ）は平面図であり、図４（Ｂ）は図４（Ａ）中のＩＶＢ−ＩＶＢ線に沿った縦端面図であり、図４（Ｃ）は図４（Ａ）中のＩＶＣ−ＩＶＣ線に沿った横端面図である。
図４に示される吸収体物品１００ｇにおいては、架橋部材４０ｇが底面部１２および一対の側部１４ｄと結合部材５０を介して結合することにより、内部空間Ｓが、前側の尿吸収用空間Ｓ1と後側の便収容用空間Ｓ2とに分離しており、尿吸収用空間Ｓ1には、吸収体２０ａが配置されている。
結合部材５０としては、例えば、接着剤、ゴム、フィルム、フォーム（発泡体）、嵩高不織布が挙げられる。
このように内部空間Ｓを、尿吸収用空間Ｓ1と便収容用空間Ｓ2とに分離させることにより、尿便分離処理が可能となる。その結果、尿と便とが混じり合って、臭いが強くなったり、かぶれが発生しやすくなったりするなどの問題をなくすことができる。尿吸収用空間Ｓ1と便収容用空間Ｓ2との分離は、図４に示される実施形態のように完全であるのが好ましいが、両者がつながっていても、その部分がわずかであれば、または、尿が拡散しにくい吸収体を用いれば、実質的に尿便分離処理が可能となる。
【００４３】
この場合、便収容用空間に、シート状の第２防漏体を具備するのが好ましい態様の一つである。
図５は、第２防漏体を有する吸収体物品の例を示す模式図である。図５（Ａ）は平面図であり、図５（Ｂ）は図５（Ａ）中のＶＢ−ＶＢ線に沿った縦端面図である。
図５に示される吸収体物品１００ｈは、基本的に吸収体物品１００ｇと同じであるが、便収容用空間Ｓ2にシート状の第２防漏体６０を有する点で異なる。この場合、便を第２防漏体６０上に収容することができる。
【００４４】
また、図５に示される吸収体物品１００ｈは、架橋部材４０ｇの上面の前後端に、尿ストップ部材４２と便ストップ部材４４とを有する。尿ストップ部材４２は、尿吸収用空間Ｓ1に排出された尿が、便収容用空間Ｓ2に移動することを防止し、便ストップ部材４４は、便収容用空間Ｓ2に排出された便が、尿吸収用空間Ｓ1に移動することを防止する。この尿ストップ部材４２および便ストップ部材４４により、尿便分離処理がより効果的に行われる。
図５に示される実施形態においては、第２防漏体が平面状であるが、第２防漏体の形状は特に限定されない。例えば、前後方向の長さおよび位置、左右方向の長さ等を特に限定されない。具体的には、その縁部が上側に持ち上がっている容器状になっている形状が好適に挙げられる。この場合、便が第２防漏体上に収容されやすい。
【００４５】
また、便収容用空間において、更に、第１防漏体と第２防漏体との間に吸収体が配置されているのが好ましい態様の一つである。
図６は、第２防漏体を有する吸収体物品の他の例を示す模式図である。図６（Ａ）は平面図であり、図６（Ｂ）は図６（Ａ）中のＶＩＢ−ＶＩＢ線に沿った縦端面図である。
図６に示される吸収体物品１００ｉは、基本的に吸収体物品１００ｈと同じであるが、便収容用空間Ｓ2において、第１防漏体１０ｇと第２防漏体６０との間に、吸収体２０ｂが配置されている。この場合、基本的に便を第２防漏体６０上に収容させつつ、軟便である場合に、その水分を吸収体２０ｂに吸収させることができるので、便（軟便）が外に漏れることを防止することができる。
図６に示される実施形態においては、尿処理用空間に配置された吸収体と便収容用空間に配置された吸収体とが分離しているが、後述する図７に示される実施形態のように、両者は一体となっていてもよい。
【００４６】
また、第２防漏体の前端部が、架橋部材の下面と結合し、第２防漏体の前端部の下面に、尿導入部形成部材が設けられており、吸収体が、尿吸収用空間から便収容空間の第２防漏体の下側にわたって存在しているのが好ましい態様の一つである。
図７は、尿導入部形成部材を有する吸収体物品の例を示す模式図である。図７（Ａ）は平面図であり、図７（Ｂ）は図７（Ａ）中のＶＩＩＢ−ＶＩＩＢ線に沿った縦端面図であり、図７（Ｃ）は図７（Ａ）中のＶＩＩＣ−ＶＩＩＣ線に沿った横端面図である。
図７に示される吸収体物品１００ｊにおいては、第２防漏体６０ａの前端部が、架橋部材４０の下面と結合し、第２防漏体６０ａの前端部の下面に、尿導入部形成部材７０が設けられており、吸収体２０ｃが、尿吸収用空間Ｓ1から便収容空間Ｓ2の第２防漏体６０ａの下側にわたって存在している。
【００４７】
尿導入部形成部材７０は、第２防漏体６０ａと結合しているのが好ましく、また、吸収体２０ｃとは結合していても、結合していなくてもよい。
【００４８】
尿導入部形成部材７０は、第２防漏体６０ａと吸収体２０ｃとの間の間隙を確保するためにある程度の厚さが必要であるが、それ以外は特に限定されない。尿導入部形成部材７０の材料としては、例えば、接着剤、ゴム、フィルム、フォーム（発泡体）、嵩高不織布が挙げられる。接着剤の場合、ある程度の厚さとなるように塗布する。また、ゴム、フィルム、フォームまたは嵩高不織布の場合、細片または帯状体として、その表面と第２防漏体６０ａの表面とを接着剤等により結合させるのが好ましい。
【００４９】
尿導入部形成部材７０は、縦（前後方向の長さ）が１０ｍｍ、横（左右方向の長さ）が２０ｍｍ、厚さが３ｍｍのウレタンフォームのブロックをホットメルト接着剤で第２防漏体６０ａの前端部の下面と吸収体２０ｃの上面との間に配置し、固定させたものである。
吸収体物品１００ｊにおいては、尿は、図７（Ａ）中、矢印で示されるように、尿導入部形成部材７０の両側を通って吸収体２０ｃの後部に移動する。これは尿導入部形成部材７０に用いられたウレタンフォームには液透過性がないためである。このように、尿の流路をある程度制限することにより、大量の尿が特定の箇所に集中して流れるようになるので、尿が吸収体２０ｃの後部に移動しやすくなる。したがって、吸収体２０ｃを有効に活用することができる。
【００５０】
また、本発明の吸収体物品においては、吸収体が、内部空間の前側から後側までにわたって伸びており、架橋部材が吸収体および一対の側部と結合することにより、内部空間が、前側の尿吸収用空間と後側の便収容用空間とに分離しているのも好ましい態様の一つである。
図８は、本発明の吸収体物品の他の例を示す模式図である。図８（Ａ）は平面図であり、図８（Ｂ）は図８（Ａ）中のＶＩＩＩＢ−ＶＩＩＩＢ線に沿った縦端面図であり、図８（Ｃ）は図８（Ａ）中のＶＩＩＩＣ−ＶＩＩＩＣ線に沿った横端面図である。
図８に示される吸収体物品１００ｋにおいては、吸収体２０ｃが、内部空間Ｓの前側から後側までにわたって伸びており、架橋部材４０ｇが吸収体２０ｃおよび一対の側部１４ｄと結合部材５０ａを介して結合することにより、内部空間Ｓが、前側の尿吸収用空間Ｓ1と後側の便収容用空間Ｓ2とに分離している。
図８に示される実施形態は、上述した図５〜図７における各構造と組み合わせることができる。
【００５１】
また、本発明の吸収体物品においては吸収体が、左右に離間して配置されているのが好ましい態様の一つである。
図９は、本発明の吸収体物品の他の例を示す模式図である。図９（Ａ）は着用前の横端面図であり、図９（Ｂ）は着用時の横端面図であり、図９（Ｃ）は尿排出直後の横端面図である。
図９に示される吸収体物品１００ｌは、基本的には、吸収体物品１００と同じであるが、吸収体２０ｄが、左右に離間して配置されている点で異なる。これにより、以下の効果が得られる。
第１に、左右方向の中央部での変形が容易となる（図９（Ｂ）参照。）。このため、着用者が適切な位置に吸収体物品を着用することが容易となる。
第２に、上記変形により、中央部に排出された尿が左右および後側に移動しやすくなるため、吸収体に吸収されやすくなる。
第３に、着用者の股下部に吸収体がないため、着用時、特に尿を吸収した後に、着用者は股下部において不快感を感じない。
第４に、着用者の股下部に吸収体がないため、かぶれ、ムレ等の問題が生じにくい。
第５に、図９（Ｃ）に示されるように、左右方向の中央部に吸収体がないため、尿排出直後においては、排出された尿ｕが一時的に中央部に貯留され、その後、徐々に左右の吸収体に吸収されていくようにすることができるので（図中矢印参照。）、多量の尿が短時間で排出されたときにも、尿を効率的に吸収することができる。
【００５２】
更に、左右に離間して配置されている吸収体の間にわたって、液ガイドシートが配置されているのが好ましい。
図１０は、液ガイドシートを有する吸収体物品の例を示す模式図である。図１０（Ａ）は着用前の横端面図であり、図１０（Ｂ）は着用時の横端面図である。
図１０に示される吸収体物品１００ｍは、基本的には、吸収体物品１００ｌと同じであるが、左右に離間して配置されている吸収体の間にわたって、液ガイドシート８０が配置されている。
液ガイドシート８０は、尿を移動させるための流路とを有する。着用者の尿道口から第１防漏体の左右方向の中央部に排出された尿は、液ガイドシート８０の流路を通って、速やかに吸収体２０ｄに移動する。したがって、着用者は股下部において不快感を感じない。
また、液ガイドシート８０は、左右に離間して配置されている吸収体２０ｄ間での尿の移動を可能とするのが好ましい。
吸収体物品を使用する際、着用者の姿勢、着用位置等により、左右の吸収体に吸収される尿の量が大幅に偏ってしまうことがある。このような場合、本発明の吸収体物品が液ガイドシートを有すると、尿を多く吸収した吸収体から少ない方へと、尿が移動し、その結果、偏りが緩和される。これにより、吸収体物品の実質的な尿吸収量および使用可能時間が長くなる。
【００５３】
液ガイドシート８０は、尿の移動を可能とする流路を有する構造であれば特に限定されないが、体液吸収性や体液保持性を有しないのが、尿の移動が速やかに行われる点で好ましい。具体的には、後述する凸部に開孔を有する凹凸シート部材（以下「開孔凹凸シート部材」という。）が好適に挙げられる。
【００５４】
図１１は、凸部の全部に開孔を有する開孔凹凸シート部材の例を示す模式的な斜視図である。図１１に示される開孔凹凸シート部材である液ガイドシート８０は、凸部を形成する多数の突起８１を有しており、各突起８１はその頂点に開孔８２を有している。開孔凹凸シート部材においては、凸部の一部に開孔を有していてもよく、凸部の全部に開孔を有していてもよい。
開孔凹凸シート部材は、凹部と凸部を有する凹凸面を少なくとも一つの面として有する。開孔凹凸シート部材においては、多数の凹部が連なって体液の流路として機能する。開孔凹凸シート部材は、凸部が使用時に多少つぶれたとしても、体液の流通が阻害されないという利点を有する。
また、開孔凹凸シート部材においては、開孔も体液の流路として機能する。
本発明においては、開孔凹凸シート部材を、開孔の広い方の面（図１１中、見えていない面）を着用者側にして用いるのが好ましい。
【００５５】
開孔凹凸シート部材の材料としては、例えば、ＰＥ、ＰＰ、ＰＶＡ、ウレタン等の樹脂からなる体液不透過性のフィルムが挙げられる。
開孔凹凸シート部材の具体例としては、本発明者が国際公開第０２／０６５９６５号パンフレットにおいて提案したものが挙げられる。
【００５６】
ガイドシートとして開孔凹凸シート部材を用いる場合、開孔に体液が残存する、液残りが生じ、いわゆるリウェット値が悪くなることがある。この場合、開孔凹凸シート部材の下側に、親水性拡散シートを組み合わせて用いるのが好ましい。これにより、開孔に存在する体液が、親水性拡散シートに浸透して移動するので、リウェット値が大幅に低くなる。また、開孔凹凸シート部材が防漏体とずれることが防止され、形状安定性も向上する。
【００５７】
親水性拡散シートとしては、比較的目付の低い親水性不織布状物が好適に用いられる。親水性不織布状物としては、例えば、レーヨン、コットン、木材パルプ等を含有させたティッシュまたは親水性不織布が挙げられる。具体的には、ティッシュペーパー、レーヨンスパンボンド（例えば、ＴＣＦ、二村化学社製）、コットンスパンレース、レーヨン／ＰＰ混合スパンレース、レーヨン／ＰＥＴ混合スパンレースが挙げられる。
また、ＰＰ、ＰＥまたはＰＥＴのスパンボンド不繊布、ＰＰのサーマルポンド不繊布、ＰＥ／ＰＥＴのスルーエア不織布等の合繊不織布を界面活性剤等で表面処理することにより親水化した不繊布も挙げられる。
開孔凹凸シート部材と親水性拡散シートとは、単に重ね合わせて積層してもよく、ホットメルト、熱ラミネート等により複合化してもよい。
【００５８】
親水性拡散シートの下側には、体液不透過性シートを組み合わせて用いるのが好ましい。これにより、体液が親水性拡散シートと防漏体のシート部との間に一時的にも貯留されず、速やかに防漏体の袋部へと移動するようになる。体液不透過性シートの材料としては、例えば、ＰＥ、ＰＰ、ＰＶＡ、ウレタン等の樹脂からなるフィルムが挙げられる。
親水性拡散シートと体液不透過性シートとは、単に重ね合わせて積層してもよく、ホットメルト、熱ラミネート等により複合化してもよい。
また、親水性拡散シートを用いずに、開孔凹凸シート部材と体液不透過性シートとを組み合わせて用いてもよい。
開孔凹凸シート部材と体液不透過性シートとは、単に重ね合わせて積層してもよく、ホットメルト、熱ラミネート等により複合化してもよい。
【００５９】
図１０においては、液ガイドシート８０が吸収体２０ｄの下側に配置されているが、液ガイドシートは、上側に配置されていてもよく、上側および下側の両方に配置されていてもよい。
【００６０】
更に、吸収体が不織布上に高吸水性樹脂をコーティングしてなるシート状吸収体である場合、不織布の高吸水性樹脂をコーティングされた側を内側として、チューブ状に形成されてなるのが好ましい態様の一つである。
図１２は、不織布の高吸水性樹脂をコーティングされた側を内側としてチューブ状に形成されたシート状吸収体（以下「チューブ状吸収体」という。）およびそれを用いた吸収体物品の例を示す模式図である。図１２（Ａ）〜図１２（Ｃ）はチューブ状吸収体の横端面図であり、図１２（Ｄ）〜図１２（Ｆ）はそれを用いた吸収体物品の横端面図である。図１２（Ａ）および図１２（Ｄ）は尿吸収前であり、図１２（Ｂ）および図１２（Ｅ）は尿吸収初期であり、図１２（Ｃ）および図１２（Ｆ）は尿吸収後期である。
図１２（Ａ）〜（Ｃ）に示されるチューブ状吸収体２０ｅは、不織布２２上に、前後方向に長い複数の帯状に、高吸水性樹脂２４をコーティングしてなる。図１２に示されるチューブ状吸収体２０ｅは、尿吸収前は平面に近い形状であるが（図１２（Ａ）参照。）、尿を吸収するに従って、円筒状に近くなっていく（図１２（Ｂ）および図１２（Ｃ）参照。）。
図１２（Ｄ）〜（Ｆ）に示される吸収体物品１００ｎは、基本的に吸収体物品１００ｌと同じであるが、チューブ状吸収体２０ｅを用いている点で異なる。吸収体物品１００ｎにおいては、チューブ状吸収体２０ｅが尿を吸収すると、左右方向の中央部に空間を形成する（図１２（Ｆ）参照。）。これにより、尿が後側に移動しやすくなる。また、着用者の股下部と第１防漏体とがより接触しにくくなるので、着用者の不快感がより少なくなる。
【００６１】
また、本発明の吸収体物品においては、一対の側部が、それぞれ２段以上に折りたたまれたひだ状に形成されているのが好ましい態様の一つである。
図１３は、本発明の吸収体物品の他の例を示す模式的な横端面図である。図１３においては、第１防漏体および吸収体以外の要素は、省略してある。図１３中、白抜きの部材は第１防漏体であり、斜線の部材は吸収体である。
図１３に示される吸収体物品においては、第１防漏体の一対の側部が、それぞれ２段に折りたたまれたひだ状に形成されている。これにより、第１防漏体が形成しうる空間の容積が大きくなるため、吸収体の量を多くして尿の吸収量を多くすることができる。
【００６２】
一対の側部がそれぞれ２段以上に折りたたまれたひだ状に形成されている場合、一対の側部により規定される２段以上の空間のうち、少なくとも二つに、吸収体が配置されているのが好ましい態様の一つである。
図１４は、本発明の吸収体物品の他の例を示す模式的な横端面図である。図１４においては、第１防漏体および吸収体以外の要素は、省略してある。図１４中、白抜きの部材は第１防漏体であり、斜線の部材は吸収体である。
図１４（Ａ）〜図１４（Ｄ）に示される吸収体物品は、基本的に図１３に示される吸収体物品と同じであるが、一対の側部により規定される２段の空間にそれぞれ吸収体が配置されている点で相違する。このように２段以上の吸収体を有すると、尿の吸収能力が大きくなる。
図１４（Ａ）に示される吸収体物品は、上段および下段とも一体の吸収体が配置されている。図１４（Ｂ）に示される吸収体物品は、上段は吸収体が左右に離間して配置されており、下段は一体の吸収体が配置されている。図１４（Ｃ）に示される吸収体物品は、上段は一体の吸収体が配置されており、下段は吸収体が左右に離間して配置されている。図１４（Ｄ）に示される吸収体物品は、上段および下段とも吸収体が左右に離間して配置されている。
図１４（Ｂ）〜図１４（Ｄ）のように、一部または全部の吸収体が左右に離間して配置されていると、上述した吸収体物品１００ｌにおける効果の一部または全部が得られる。
【００６３】
本発明の吸収体物品においては、更に、第１防漏体の底面部と一対の側部の前端から上部の前側にかけての部分とに結合して、第１防漏体の前側の開口を閉鎖する前方防漏体、および／または、第１防漏体の底面部と一対の側部の後端から上部の後側にかけての部分とに結合して、第１防漏体の後側の開口を閉鎖する後方防漏体を具備するのが好ましい態様の一つである。
図１５は、前方防漏体および後方防漏体を具備する吸収体物品の例を示す模式図である。図１５（Ａ）は平面図であり、図１５（Ｂ）は図１５（Ａ）中のＸＶＢ−ＸＶＢ線に沿った縦端面図であり、図１５（Ｃ）は図１５（Ａ）中のＸＶＣ−ＸＶＣ線に沿った横端面図であり、図１５（Ｄ）は図１５（Ａ）中のＸＶＤ−ＸＶＤ線に沿った横端面図である。
図１５に示される吸収体物品１００ｏは、基本的に吸収体物品１００と同じであるが、更に、前方防漏体９０および後方防漏体９２を具備する点で異なる。
【００６４】
図１５に示されるように、前方防漏体９０は、第１防漏体１０の底面部１２と一対の側部１４の前端から上部の前側にかけての部分とに結合して、第１防漏体１０の前側の開口を閉鎖している。また、後方防漏体９２は、第１防漏体１０の底面部１２と一対の側部１４の後端から上部の後側にかけての部分とに結合して、第１防漏体１０の後側の開口を閉鎖している。
【００６５】
本発明の吸収体物品１００は、立位および座位では、前側および後側が上、中央部が下というＵ字型の状態で着用されるので、尿および便が前側および後側の開口から漏れることはほとんどないが、横臥位および伏臥位においては、漏れるおそれがある。
本発明の吸収体物品１００ｏにおいて、前方防漏体９０および後方防漏体９２は、第１防漏体と結合して袋状になっている。これにより、前方防漏体９０は、排出された尿および便（内部空間が、前側の尿吸収用空間と後側の便収容用空間とに分離している場合は、尿）が、第１防漏体１０の前側の開口から、外部へ漏れることを防止する。また、後方防漏体９２は、排出された尿および便（内部空間が、前側の尿吸収用空間と後側の便収容用空間とに分離している場合は、便）が、第１防漏体１０の後の開口から、外部へ漏れることを防止する。
【００６６】
前方防漏体９０および後方防漏体９２は、第１防漏体１０の一対の側部と同様に、その縁部に、縁部形状保持部材を有するのが好ましい態様の一つである。縁部形状保持部材を有すると、尿および便がより漏れにくくなる。この場合、縁部形状保持部材は第１防漏体１０の縁部形状保持部材と別個のものであってもよく、第１防漏体１０の縁部形状保持部材３０が延長されたものであってもよい。
また、図１５に示されるように、前方防漏体９０および後方防漏体９２が、第１防漏体１０の一対の側部１４および縁部形状保持部材３０を上側から被覆するように構成されている場合は、着用時に側部の前側および後側がめくれ上がることを防止する効果も奏する。
【００６７】
本発明の吸収体物品においては、第１防漏体の一対の側部が２種以上の材料から構成されていてもよい。
図１７は、側部が２種以上の材料から構成されている吸収体物品の例を示す模式的な横端面図である。図１７（Ａ）および図１７（Ｂ）においては、吸収体は省略されている。
図１７（Ａ）に示される吸収体物品１００ｐは、基本的には、吸収体物品１００ｌと同じであるが、第１防漏体１０ｈの一対の側部１４ｅの内部に弾性体１６ａが設けられている。弾性体１６ａは、その周囲の材料よりも、弾力に富んでいる。これにより、着用者の体表面との密着性がより優れたものになる。
図１７（Ｂ）に示される吸収体物品１００ｑは、第１防漏体１０ｉの一対の側部１４ｆが、それぞれ２段に折りたたまれたひだ状に形成されており、その上段の内部に弾性体１６ｂが設けられている。弾性体１６ｂは、その周囲の材料よりも、弾力に富んでいる。これにより、着用者の体表面との密着性がより優れたものになる。
上述したように、第１防漏体の一対の側部を２種以上の材料により構成することにより、側部の弾力性を調整して、着用者の体表面との密着性をより優れたものにすることができる。
また、同一の原材料であっても、異なる張力で側部を構成することにより、同様の効果を得ることができる。
【００６８】
以下、より具体的な実施態様を挙げて更に詳細に説明する。
＜実施態様１＞
図１８〜図２０は、テープ型おむつの態様とした本発明の吸収体物品を示す模式図である。図２５は平面図であり、図２６（Ａ）は図２５中のＸＸＶＩＡ−ＸＸＶＩＡ線に沿った縦端面図であり、図２６（Ｂ）は図２１中のＸＸＶＩＢ−ＸＸＶＩＢ線に沿った横端面図であり、図２７は着用時の状態を示す斜視図である。
【００６９】
図１８に示される吸収体物品３００においては、シート状の第１防漏体２０２ａが前後方向の中央部でやや狭くなった長方形の形態を示し、後側の両端部に、着用時に着用者の腰部で前側の両端部と結合するための結合用テープ２１９ａを有している。
第１防漏体２０２ａの一対の側部２１３ａの縁部には、それぞれ一対の縁部形状保持部材２１４ａが設けられている。縁部形状保持部材２１４ａは、前身頃から後身頃まで連続に配置されている。
また、前後方向の中央付近には、架橋部材２０７ａが、一対の縁部形状保持部材２１４ａの各中央部の間にわたって設けられ、その前側が尿吸収用空間Ｓ1、後側が便吸収用空間Ｓ2となっている。即ち、両側の縁部形状保持部材２１４ａにより、前後方向に長いチャネル状開口が規定され、このチャネル状開口は、架橋部材２０７ａにより、前身頃と後身頃とに分けられている。架橋部材２０７ａは、縁部形状保持部材２１４ａの上側を通っている。
架橋部材２０７ａと第一防漏体２０２ａおよび縁部形状保持部材２１４ａとは、前後方向の中央付近で斜線で示される結合部２１７ａにより結合している。これにより、左右の第１防漏体２０２ａの側部２１３ａ同士が結合されると同時に左右の距離が固定される。
【００７０】
第１防漏体２０２ａの内部空間には、前部から後部に至るまで、ほぼ長方形の吸収体２０３ａが配置されている。
吸収体２０３ａの上にはスキンコンタクトシート２０５ａが設けられている。スキンコンタクトシート２０５ａを具備すると、着用時の表面感触が優れたものになる。スキンコンタクトシートは、体液透過性であれば特に限定されず、従来トップシートとして用いられてきた公知のものを用いることができる。具体的には、例えば、ＰＰ不織布、ＰＥＴ不織布、ＰＥ不織布等の合成繊維の不織布を用いることができる。また、レーヨン、コットン等の親水性繊維と合成繊維とを混合してなる乾式不織布を用いることもできる。
スキンコンタクトシート２０５ａは、吸収体２０３ａの前端より前側の位置からその後端の後側の位置まで、その上面を被覆している。
【００７１】
吸収体物品３００は、図２０に示されるように、着用時には、結合用テープ２１９ａにより、第１防漏体２０２ａの前端と後端とが結合し、一つのウエストホールＷと二つのレッグホールＬＨとを形成する。
【００７２】
＜実施態様２＞
図２１〜図２３は、テープレス型おむつの態様とした本発明の吸収体物品を示す模式図である。図２１は着用時の状態を示す斜視図であり、図２２は図２１中の結合部２２７ｂを分離させて開いた平面図であり、図２３（Ａ）は図２２中のＸＸＩＩＩＡ−ＸＸＩＩＩＡ線に沿った縦端面図であり、図２３（Ｂ）は図２２中のＸＸＩＩＩＢ−ＸＸＩＩＩＢ線に沿った横端面図である。
図２１に示される吸収体物品３１０は、結合部２２７ｂにより前身頃と後身頃とが結合し、一つのウエストホールＷと二つのレッグホールＬＨとを有するパンツの形状となっている。
【００７３】
第１防漏体２０２ｂは、左右両辺が上に立ち上がって側部２１３ｂを形成しており、更にその側部２１３ｂが中側に折り返されている。第１防漏体２０２ｂの側部２１３ｂの縁部には、縁部形状保持部材２１４ｂがほぼ全長にわたって設けられている。
この縁部形状保持部材２１４ｂの前側の部分は、本発明の吸収体物品の着用時において、尿道口の両側に位置してその上表面が着用者の体と接触して、吸収体物品を弾力的に固定し、尿道口が吸収体物品と直接接触しないように、または、接触しても尿道口に強い圧力がかからないようにする。このようにすることにより、着用時における尿道口への圧迫感をなくすことができる。また、二つの縁部形状保持部材２１４ｂの間に形成される空間が、尿の流路となるため、着用者の尿道口およびその周囲が濡れるだけで、その他の部位を濡らすことなく、排尿することができる。
また、吸収体物品３１０の前側においては、二つの縁部形状保持部材２１４ｂの間に性器が収容されることにより、尿が外側に漏れることが防止される。吸収体物品３１０の後側においては、臀部の丸みに沿って周縁部形態保持材６８が着用者の肌に密着するようになり、便、特に軟便が排出されても、外側に漏れることが防止される。その結果、インナーギャザーおよびアウターギャザーが不要となる。ただし、これらを有していてもよい。
第１防漏体２０２ｂの内部空間の後部には、便処理用シート２２１ｂが設けられている。
【００７４】
前後方向の中央付近には、架橋部材２０７ｂが設けられ、その前側が尿吸収用空間Ｓ1、後側が便吸収用空間Ｓ2となっている。吸収体物品３００においては架橋部材２０７ａが縁部形状保持部材２１４ａの上に配置されているのに対して、吸収体物品３１０においては架橋部材２０７ｂの左右両端が縁部形状保持部材２１４ｂの下になるように配置されている。
架橋部材２０７ｂは、それぞれ断面がほぼ楕円形である棒状の尿ストップ部２０８ｂと便ストップ部２０９ｂとを有する。尿ストップ部２０８ｂは前側に傾斜し、尿が後側に移動することを防止する。便ストップ部２０９ｂは後側に傾斜し、便が前側に移動することを防止する。尿便ストップ部材２０７ｂは、第１防漏体２０２ｂの左右方向のほぼ全幅にわたって設けられている。
架橋部材２０７ｂの下面と第１防漏体２０２ｂとは、結合部２１７ｂにより、結合している。また、架橋部材２０７ｂの上面の一部と第一防漏体２０２ｂの側部２１３ｂおよび縁部形状保持部材２１４ｂの下面とも、結合部２１７ｂにより、結合している。結合部２１７ｂは、例えば、感熱性接着剤等の接着剤により形成させることができる。
このように、第１防漏体２０２ｂの内部空間は、尿吸収用空間Ｓ1と便吸収用空間Ｓ2とが相互に独立している。これにより、尿と便との分離をほぼ完全に行うことができる。尿吸収用空間Ｓ1には吸収体２０３ｂが配置され、便吸収用空間Ｓ2には便処理用シート２２１ｂが配置されている。
【００７５】
吸収体２０３ｂの上には、実施態様１と同様に、スキンコンタクトシート２０５ｂが設けられている。スキンコンタクトシート２０５ｂは、吸収体２０３ｂの前端より前側の位置から後端の後側の位置まで、その上面を被覆している。
第１防漏体２０２ｂの側部の外側には、不織布からなるアウター部材が設けられている。アウター部材の前後両端には、ウエストギャザー２１２ｂが設けられている。
【００７６】
＜実施態様３＞
図２４〜図２７は、テープ型おむつの態様とした別の本発明の吸収体物品を示す模式図である。図２４は平面図であり、図２５は図２４中のＸＸＶ−ＸＸＶ線に沿った縦端面図であり、図２６（Ａ）〜図２６（Ｃ）はそれぞれ図２４中のＸＸＶＩＡ−ＸＸＶＩＡ線、ＸＸＶＩＢ−ＸＸＶＩＢ線およびＸＸＶＩＣ−ＸＸＶＩＣ線に沿った横端面図であり、図２７は着用時の状態を示す斜視図である。
【００７７】
吸収体物品３２０においては、シート状の第１防漏体２０２ｃは、左右両辺が上に立ち上がって側部２１３ｃを形成しており、更にその側部２１３ｃが中側に折り返されている。第１防漏体２０２ｃの側部２１３ｃの縁部には、縁部形状保持部材２１４ｃがほぼ全長にわたって設けられている。
この縁部形状保持部材２１４ｃの前側の部分は、本発明の吸収体物品の着用時において、尿道口の両側および前側に位置してその上表面が着用者の体と接触して、吸収体物品を弾力的に固定し、尿道口が吸収体物品と直接接触しないように、または、接触しても尿道口に強い圧力がかからないようにする。このようにすることにより、着用時における尿道口への圧迫感をなくすことができる。また、左右の二つの縁部形状保持部材２１４ｃの間に形成される空間が、尿の流路となるため、着用者の尿道口およびその周囲が濡れるだけで、その他の部位を濡らすことなく、排尿することができる。
また、吸収体物品３２０の前側においては、左右の二つの縁部形状保持部材２１４ｃの間に性器が収容され、また、前側の縁部形状保持部材２１４ｃが着用者の体と密着する。
【００７８】
吸収体物品３２０の後側においては、臀部の丸みに沿って縁部形状保持部材２１４ｃが着用者の肌に密着するようになり、また、後側の縁部形状保持部材２１４ｃが着用者の体と密着する。
【００７９】
第１防漏体２０２ｃの左右の側壁は、ひだ状に形成されており、途中の折り返し部分により、上下２段に分かれている。これにより、より多量の尿を吸収することが可能になり、長時間の装着に耐えられるようになっている。
第１防漏体２０２ｃの上段の後部には、第２防漏体２０４ｃが設けられて、その上に便処理用シート２２１ｃが設けられている。また、第１防漏体２０２ｃの下段の前部から第２防漏体２０４ｃの下側に至るまで、および、第１防漏体２０２ｃの上段の前部には、ほぼ長方形の吸収体２０３ｃが左右に分かれて配置されている。即ち、吸収体２０３ｃは、吸収体物品３２０の前側では２層、後側では１層となっている。吸収体２０３ｃは、第１防漏体２０２ｃの側部が形成する空間に収納されており、一部のみが露出している。
このように第２防漏体２０４ｃの下に存在する吸収体２０３ｃは、１層のみであるので、便を受容した際に下側に垂れ下がりやすくなっている。即ち、便の受容量が多くなっている。特に、本実施態様では、第２防漏体２０４ｃの前側の中央部がその下の部材（ここでは、液ガイドシート２１８ｃ）と結合部材２２６ｃにより結合しているため、あらかじめ便の受容領域の容積が大きくなっている。
また、吸収体２０３ｃが左右に分かれて存在するので、吸収体２０３ｃが尿を吸収すると、中央部の容積がより大きくなる。
【００８０】
前後方向の中央付近には、架橋部材２０７ｃが設けられ、その前側が尿収容用空間Ｓ1、後側が便収容用空間Ｓ2となっている。架橋部材２０７ｃは、それぞれ断面がほぼ楕円形である棒状の尿ストップ部２０８ｃと便ストップ部２０９ｃとを有する。尿ストップ部２０８ｃは前側に傾斜し、尿が後側に移動することを防止する。便ストップ部２０９ｃは後側に傾斜し、便が前側に移動することを防止する。架橋部材２０７ｃは、第１防漏体２０２ｃの左右方向の全幅にわたって設けられている。
架橋部材２０７ｃの下面と第２防漏体２０４ｃの前端部の上面とは、結合部２１７ｃにより直接に結合している。結合部２１７ｃは、例えば、感熱性接着剤等の接着剤により形成させることができる。
【００８１】
便処理用空間Ｓ2においては、第１防漏体２０２ｃの折込みの下段の部分にのみ吸収体２０３ｃを配置することにより、吸収容量を確保するとともに、上段部分には便収容のための空間を形成させ、下部の吸収体２０３ｃが尿を吸収して膨張すると、便収容のための空間が中央部に大きく確保されるようになる。特に、第２防漏体２０４ｃの中央の一部が吸収体２０３ｃの下に存在する液ガイドシート２１８ｃと結合することにより、便処理用空間Ｓ2の左右の吸収体２０３ｃが膨らむにつれ、第２防漏体２０４ｃの中央が凹みを形成し、より効果的に便収容のための空間が確保される。
【００８２】
上述したように吸収体２０３ｃは左右に離間して設けられ、図１２（Ａ）に示されるようにチューブ状を呈しているため、尿の吸収により膨張しやすくなっている。
また、この２本のチューブ状の吸収体２０３ｃの間を尿が流れることにより、第２防漏体２０４ｃの下に前身頃から連続して存在している吸収体２０３ｃが効果的に尿を吸収することができるようになっている。
更に、排尿口の真下に吸収体を存在させないことにより、吸収体が尿を吸収して膨潤した後も着用者に不快感を与えない。また、左右の吸収体２０３ｃが体を支えるため、尿道口への圧迫感も軽減される。
【００８３】
第２防漏体２０４ｃの前端の下側には、液透過性の尿導入部形成部材２０６ｃが配置されている。したがって、尿ストップ部２０８ｃによって止められた尿は、液透過性の尿導入部形成部材２０６ｃを通過して第２防漏体２０４ｃの下側に移動する。
【００８４】
第２防漏体２０４ｃの左右両辺の上面は、第１防漏体２０２ｃの側部２１３ｃと結合部２１７ｃにより結合している。これにより、第２防漏体２０４ｃの左右から便が漏れることが防止される。
【００８５】
第２防漏体２０４ｃの上側には、便処理用シート２２１ｃが設けられている。便処理用シートは、便、特に軟便の水分を吸収し、便が広範囲に広がらないようにする。また、便受容用シートは、排便されていない状態では、スキンコンタクトシートとしても機能する。
便処理用シートとしては、例えば、パルプ等で作られた吸水性不織布、具体的には、王子キノクロス社製のキノクロスが好適に用いられる。特に、起毛状の不織布は、軟便を絡めて固定することができる点で好ましい。
【００８６】
第１防漏体２０２ｃの上部に配置された吸収体２０３ｃの上には、実施態様１と同様に、スキンコンタクトシート２０５ｃが設けられている。
【００８７】
第１防漏体２０２ｃの下部に配置された吸収体２０３ｃの下には、液ガイドシート２１８ｃが設けられている。
液ガイドシート２１８ｃは、尿の移動を可能とする流路を有する構造であれば特に限定されないが、体液吸収性や体液保持性を有しないのが、尿の移動が速やかに行われる点で好ましい。具体的には、凸部に開孔を有する凹凸シート部材（開孔凹凸シート部材）が好適に挙げられる。
液ガイドシート２１８ｃは、第１防漏体２０２ｃで形成される２段構造における下段部分に、第１防漏体２０２ｃのすぐ上に配置されるようにして前身頃から後身頃まで続くように配置されており、これにより尿処理用空間Ｓ1に排出された尿を瞬時に下段全体に行き渡らせ、吸収体２０３ｃが無駄なく使用されるのを助ける役割をする。
【００８８】
第１防漏体２０２ｃの後端には、帯状のウエストバンド２２０ｃが設けられており、その両末端には着脱部材２２２ｃが設けられている。第１防漏体２０２ｃの前端の下面には、着脱部材２２３ｃが設けられている。着脱部材２２２ｃと着脱部材２２３ｃとは、互いに着脱自在になっている。例えば、各種面ファスナーにより構成されている。
【００８９】
この実施態様３においては、尿収容用空間Ｓ1と便収容用空間Ｓ2とが、相互に独立しているため、尿と便との分離をほぼ完全に行うことができる。
また、実施態様３においては、着用者が自ら装着することが難しい場合、介助者が着用者の尿道口や肛門の位置を確認しながら装着させることができる。
【００９０】
＜実施態様４＞
図２８〜図３１は、テープ型おむつの態様とした別の本発明の吸収体物品を示す模式図である。図２８は平面図であり、図２９は図２８中のＸＸＩＸ−ＸＸＩＸ線に沿った縦端面図であり、図３０（Ａ）〜図３０（Ｃ）はそれぞれ図２８中のＸＸＸＡ−ＸＸＸＡ線、ＸＸＸＢ−ＸＸＸＢ線およびＸＸＸＣ−ＸＸＸＣ線に沿った横端面図であり、図３１は着用時の状態を示す斜視図である。
吸収体物品３３０は、基本的には、吸収体物品３２０と同じであるが、以下の点で異なる。
第１に、第２防漏体２０４ｄおよび便処理用シート２２１ｄが、架橋部材２０７ｃ付近から着用者の尾底骨の位置付近まで存在しており、第２防漏体２０４ｃおよび便処理用シート２２１ｃよりも短くなっている。更に、第２防漏体２０４ｄの後端の上に重なるようにスペーサー２２８ｄが配置されている。スペーサー２２８ｄは、第１防漏体２０２ｄからつながる後方防漏体２１６ｄに被覆されている。
これにより、特に、仰臥位等において、仮に便収容用空間Ｓ2に尿が入り込んだとしても、速やかに吸収体２０３ｄへ尿を移動させることができる。
【００９１】
第２に、第１防漏体２０２ｄの前部からつながる前方防漏体２１５ｄが設けられており、その縁部には縁部形状保持部材２２４ｄが設けられている。
これにより、伏臥位等において、前方防漏体２１５ｄで尿を貯留し、腹部に漏れるのを防ぐことができる。
【００９２】
第３に、吸収体２０３ｄは、前身頃において、上段ではスキンコンタクトシート２０５ｄを挟み込むように二つ折りになって配置され、下段ではスキンコンタクトシート２０５ｄおよび液ガイドシート２１８ｃの左右両端を挟み込むようにに二つ折りになって配置されている。
これにより、吸収体２０３ｄが膨張するに従って第１防漏体２０２ｄが膨張するようになり、尿吸収のための容積がより多く確保されやすくなる。
【００９３】
本発明の吸収体物品においては、第２防漏体は、着脱可能とすることができる。この場合、便を受容した後に、第２防漏体を取り外して廃棄することができる。そして、未使用の第２防漏体を装着して再び使用することができる。また、未使用の第２防漏体を装着せず、尿と便とを分離しない通常のおむつとして使用することもできる。
また、本発明の吸収体物品が便処理用シートを有するときも、同様に、便処理用シートを着脱可能とすることができる。そして、未使用の便処理用シートを装着して再び使用することができる。また、未使用の便処理用シートを装着せずに使用することもできる。
【００９４】
第２防漏体等を着脱可能とする構成は、特に限定されない。例えば、便処理用シートのみが着脱可能である態様、第２防漏体のみが着脱可能である態様（便処理用シートがない場合）、第２防漏体および尿便ストップ部材が着脱可能である態様、第２防漏体、尿便ストップ部材および尿導入部形成部材が着脱可能である態様が挙げられる。尿便ストップ部材が着脱可能である場合には、その一部（例えば、尿ストップ部、便ストップ部）だけが着脱可能であってもよく、その全部が着脱可能であってもよい。
【００９５】
これらの着脱可能な部材は、それぞれの部材が独立に着脱可能であってもよく、一体となって着脱可能であってもよい。
【００９６】
以上、本発明の吸収体物品を図示の各実施形態に基づいて説明したが、本発明は、これらに限定されるものではなく、例えば、各部の構成は、同様の機能を発揮しうる任意の構成と置換することができる。
また、各実施形態における各部の構成を任意に組み合わせて、別の実施形態とすることもできる。
【００９７】
本発明の吸収体物品は、成人男性用、成人女性用および子供用のいずれの用途にも好適に用いられる。
【実施例】
【００９８】
以下に、実施例を示して本発明を具体的に説明する。ただし、本発明はこれらに限られるものではない。
１．吸収体物品
実施例としては、図２４〜図２７に示される本発明の吸収体物品を用いた。吸収体としては、ＳＡＰの分散スラリーを不織布の上にコーティングする方法で得られる高吸水性シート（（株）日本吸収体技術研究所製のＭｅｇａＴｈｉｎ（登録商標）、ＳＡＰ目付量１４０ｇ／ｍ2）を用いた。
吸収体物品の各部における高吸水性シートの含有量、設計脱水吸収量および設計自由吸収量を第１表に示す。なお、設計自由吸収量は、ＪＩＳ  Ｋ７２２３−１９９６の「高吸水性樹脂の吸収量試験方法」の規定に準じて行った。設計脱水吸収量は、設計自由吸収量を測定した後、１，０００Ｇで１０分間遠心分離をすることにより脱水して求めた。
【００９９】
【表１】
2006116157.tif 000003
【０１００】
２．着用試験
着用者として、正常な排尿機構および排便機構を持つ健常者４名（男性１：３８才、男性２：６４才、女性１：３２才、女性２：５４才）に、吸収体物品を着用させ、以下のようにして排尿および排便を行わせた。
まず、着用者に、立位、座位、横臥位および仰臥位の各体位を維持させ、通常の尿意を感じたところで排尿させた。排尿が終了した時点で吸収体物品を取り外させ、尿の吸収量を測定した。ついで、同じ吸収体物品を着用させ、同様に、尿の吸収量を測定した。
その後、立位および座位の場合は同じ吸収体物品を着用させ、便意を感じた時点で排便させた。排便が終了した時点で吸収体物品を取り外させ、便の捕獲量を測定し、また、吸収体物品および着用者の汚れの有無ならびに尿便の分離の程度を観察した。
【０１０１】
排尿１回目および２回目における４人の尿の吸収量の平均を第２表に示す。
第２表から明らかなように、尿の吸収量は、いずれの体位でも設計脱水吸水量を大きく超えており、中でも、立位および座位においては、設計自由吸水量と同程度という高水準まで達した。
【０１０２】
【表２】
2006116157.tif 000004
【０１０３】
また、便の捕獲量ならびに吸収体物品および着用者の汚れの有無を第３表に示す。
第３表から明らかなように、排便後の吸収体物品の汚れは、観察されず、または、観察されてもわずかであった。
排便後の着用者の汚れは観察されなかった。ここで、第３表における着用者腎部とは、臀部のうち肛門周囲を除いた部分を指す。したがって、便の排出に伴い汚れる肛門周囲以外の部分が汚れなかったということは、便が便受容郡にしっかり捕獲されたことを示している。
【０１０４】
【表３】
2006116157.tif 000005
【図面の簡単な説明】
【０１０５】
【図１】本発明の吸収体物品の例を示す模式図である。
【図２】種々の形態の吸収体物品を示す模式的な平面図である。
【図３】種々の形状の架橋部材を有する吸収体物品を示す模式図である。
【図４】本発明の別の実施形態の吸収体物品を示す模式図である。
【図５】第２防漏体を有する吸収体物品の例を示す模式図である。
【図６】第２防漏体を有する吸収体物品の他の例を示す模式図である。
【図７】尿導入部形成部材を有する吸収体物品の例を示す模式図である。
【図８】本発明の吸収体物品の他の例を示す模式図である。
【図９】本発明の吸収体物品の他の例を示す模式図である。
【図１０】液ガイドシートを有する吸収体物品の例を示す模式図である。
【図１１】凸部の全部に開孔を有する開孔凹凸シート部材の例を示す模式的な斜視図である。
【図１２】チューブ状吸収体およびそれを用いた吸収体物品の例を示す模式図である。
【図１３】本発明の吸収体物品の他の例を示す模式的な横端面図である。
【図１４】本発明の吸収体物品の他の例を示す模式的な横端面図である。
【図１５】前方防漏体および後方防漏体を具備する吸収体物品の例を示す模式図である。
【図１６】種々の形態の吸収体物品を示す模式的な横端面図である。
【図１７】側部が２種以上の材料から構成されている吸収体物品の例を示す模式的な横端面図である。
【図１８】テープ型おむつの態様とした本発明の吸収体物品を示す模式図である。
【図１９】テープ型おむつの態様とした本発明の吸収体物品を示す模式図である。
【図２０】テープ型おむつの態様とした本発明の吸収体物品を示す模式図である。
【図２１】テープレス型おむつの態様とした本発明の吸収体物品を示す模式図である。
【図２２】テープレス型おむつの態様とした本発明の吸収体物品を示す模式図である。
【図２３】テープレス型おむつの態様とした本発明の吸収体物品を示す模式図である。
【図２４】テープ型おむつの態様とした別の本発明の吸収体物品を示す模式図である。
【図２５】テープ型おむつの態様とした別の本発明の吸収体物品を示す模式図である。
【図２６】テープ型おむつの態様とした別の本発明の吸収体物品を示す模式図である。
【図２７】テープ型おむつの態様とした更に別の本発明の吸収体物品を示す模式図である。
【図２８】テープ型おむつの態様とした更に別の本発明の吸収体物品を示す模式図である。
【図２９】テープ型おむつの態様とした更に別の本発明の吸収体物品を示す模式図である。
【図３０】テープ型おむつの態様とした更に別の本発明の吸収体物品を示す模式図である。
【図３１】テープ型おむつの態様とした更に別の本発明の吸収体物品を示す模式図である。
【符号の説明】
【０１０６】
１０、１０ａ〜１０ｉ、１１、１１ａ〜１１ｃ、２０２ａ〜２０２ｄ  第１防漏体
１２  底面部
１４、１４ａ〜１４ｆ、１５、１５ａ〜１５ｃ、２１３ａ〜２０２ｃ  側部
１６ａ、１６ｂ  弾性体
２０、２０ａ〜２０ｄ、２０３ａ〜２０３ｄ  吸収体
２０ｅ  チューブ状吸収体
２２  不織布
２４  高吸水性樹脂
３０、３０ａ〜３０ｄ、３１ａ〜３１ｃ、２１４ａ〜２１４ｃ、２２４ｄ  縁部形状保持部材
４０、４０ａ〜４０ｇ、４１、４１ａ〜４１ｃ、２０７ａ〜２０７ｃ  架橋部材
４２、２０８ｂ、２０８ｃ  尿ストップ部
４４、２０９ｂ、２０９ｃ  便ストップ部
５０、５０ａ、２１７ａ〜２１７ｃ、２２６ｃ  結合部材
６０、６０ａ、２０４ｃ、２０４ｄ  第２防漏体
７０  尿導入部形成部材
８０、２１８ｃ  ガイドシート
９０、２１５ｄ  前方防漏体
９２、２１６ｄ  後方防漏体
【０１０７】
１００、１００ａ〜１００ｑ、１０１、１０１ａ〜１０１ｃ、３００、３１０、３２０、３３０  吸収体物品
２０５ａ〜２０５ｃ  スキンコンタクトシート
２０６ｃ  尿導入部形成部材
２１２ｂ  ウエストギャザー
２１９ａ  結合用テープ
２２０ｃ  ウエストバンド
２２１ｂ〜２２１ｄ  便処理用シート
２２２ｃ、２２３ｃ  着脱部材
２２７ｂ  結合部
２２８ｄ  スペーサー
ＬＨ  レッグホール
Ｓ  内部空間
Ｓ1  尿吸収用空間
Ｓ2  便収容用空間
Ｗ  ウエストホール
ｕ  尿
【図１】
2006116157.tif 000006
【図２】
2006116157.tif 000007
【図３】
2006116157.tif 000008
【図４】
2006116157.tif 000009
【図５】
2006116157.tif 000010
【図６】
2006116157.tif 000011
【図７】
2006116157.tif 000012
【図８】
2006116157.tif 000013
【図９】
2006116157.tif 000014
【図１０】
2006116157.tif 000015
【図１１】
2006116157.tif 000016
【図１２】
2006116157.tif 000017
【図１３】
2006116157.tif 000018
【図１４】
2006116157.tif 000019
【図１５】
2006116157.tif 000020
【図１６】
2006116157.tif 000021
【図１７】
2006116157.tif 000022
【図１８】
2006116157.tif 000023
【図１９】
2006116157.tif 000024
【図２０】
2006116157.tif 000025
【図２１】
2006116157.tif 000026
【図２２】
2006116157.tif 000027
【図２３】
2006116157.tif 000028
【図２４】
2006116157.tif 000029
【図２５】
2006116157.tif 000030
【図２６】
2006116157.tif 000031
【図２７】
2006116157.tif 000032
【図２８】
2006116157.tif 000033
【図２９】
2006116157.tif 000034
【図３０】
2006116157.tif 000035
【図３１】
2006116157.tif 000036